(57)【特許請求の範囲】
【請求項１】
電子装置筐体の内部へ風を送る複数のファンのそれぞれの風下側又は風上側に、前記ファンごとに複数並べて配設されて開姿勢と閉姿勢との間を回動するシャッターと、
前記ファンごとに複数の前記シャッターどうしを連結し連動して回動可能とする連結部材と、
前記ファンの駆動状態における複数の前記シャッターを、一方の前記ファンの停止によって前記ファンの風下側から風上側に戻る戻風が生じた場合には前記戻風によって閉方向へ回動させる力が停止した前記ファンに対応する前記シャッターに作用するように傾斜状態に維持する維持部材と、
前記シャッター又は前記連結部材を押圧し前記シャッターを閉方向へ回動させるバネ部材と、
前記電子装置筐体に前記ファンが装着されると、前記バネ部材に直接的に接触して前記バネ部材を押し、前記ファンに対応する前記シャッター又は前記連結部材から前記バネ部材を離間させる離間部材と、
を有するシャッター装置。
【請求項２】
前記維持部材が、
前記連結部材又は前記シャッターに設けられ複数の前記シャッターに開方向への回動力を付与する回動力付与部材と、
前記戻風を受けておらず前記傾斜状態にある前記シャッターが前記回動力付与部材からの前記回動力でさらに開方向へ回動することを阻止して前記傾斜状態を維持する回動阻止部材と、
を有する請求項１に記載のシャッター装置。
【請求項３】
前記回動力付与部材が、複数の前記シャッターに開方向への回動力を付与する錘部材である請求項２に記載のシャッター装置。
【請求項４】
前記連結部材が前記錘部材を兼ねる請求項３に記載のシャッター装置。
【請求項５】
内部に電子部品が搭載される電子装置筐体と、
前記電子装置筐体の内部に風を送る複数のファンと、
複数の前記ファンのそれぞれの風下側又は風上側に、前記ファンごとに複数並べて配設されて開姿勢と閉姿勢との間を回動するシャッターと、
前記ファンごとに複数の前記シャッターどうしを連結し、連動して回動可能とする連結部材と、
前記ファンの駆動状態における複数の前記シャッターを、一方の前記ファンの停止によって前記ファンの風下側から風上側に戻る戻風が生じた場合には前記戻風によって閉方向へ回動させる力が停止した前記ファンに対応する前記シャッターに作用するように傾斜状態に維持する維持部材と、
前記シャッター又は前記連結部材を押圧し前記シャッターを閉方向へ回動させるバネ部材と、
前記電子装置筐体に前記ファンが装着されると、前記バネ部材に直接的に接触して前記バネ部材を押し、前記ファンに対応する前記シャッター又は前記連結部材から前記バネ部材を離間させる離間部材と、
を有する電子装置。
【発明の詳細な説明】
【技術分野】
【０００１】
本願の開示する技術はシャッター装置及び電子装置に関する。
【背景技術】
【０００２】
風圧式シャッターが有している複数個のフラップを流路の方向とほぼ平行に位置させて流路を開いた状態にし、ファン故障によって排気口からの逆流風が発生すると、流路の方向から若干傾いているフラップが逆流風の風圧を受けて流路を閉じる技術がある。
【０００３】
また、多数枚のシャッタープレートを連結部材で連結し、シャッタープレートの全部を、ほぼ同時姿勢で揺動するようにした技術がある。
【０００４】
さらに、３枚のシャッターをシャッター連結部材で連結し開閉動作を連動させるようにした技術がある。
【先行技術文献】
【特許文献】
【０００５】
【特許文献１】特開２００１−２３１９５４号公報
【特許文献２】実開平６−７８７４１号公報
【特許文献３】特開平８−３３８６４９号公報
【発明の概要】
【発明が解決しようとする課題】
【０００６】
複数のファンの風により、電子装置筐体の内部の部材(冷却対象）を冷却する構造では、一部のファンが停止している状態が生じると、他の駆動しているファンで冷却対象を冷却する。
【０００７】
ファンと、電子装置筐体の内部との間に複数のシャッターが備えられる構造では、停止しているファンに対応するシャッターが開いていると、この開いているシャッターの箇所から、電子装置筐体の内部の風が逃げてしまうおそれがある。そこで、停止しているファンに対応するシャッターは閉めることが望まれる。たとえば、停止しているファンに対応するシャッターでは、電子装置筐体の内部からシャッターに戻ろうとする風（以下「戻風」という）を利用して閉方向に回動させれば、シャッターを閉じるための駆動源が不要である。
【０００８】
しかし、電子装置筐体の内部から、この開いているシャッターの箇所に流れる風にムラが生じていると、停止ファンに対応する複数のシャッターを確実に閉めることが難しい。
【０００９】
本願の開示技術は、１つの側面として、一部のファンの停止時に、電子装置筐体の内部から停止ファンに対応する複数のシャッターに当たる戻風にムラがあっても、停止ファンに対応するシャッターを確実に閉じることが目的である。
【課題を解決するための手段】
【００１０】
本願の開示する技術では、電子装置筐体の内部へ風を送る複数のファンのそれぞれの風下側又は風上側に、ファンごとに複数並べて、開姿勢と閉姿勢との間を回動するシャッターが配置される。そして、ファンごとに複数のシャッターどうしを連結し、連動して回動可能とする連結部材と、複数のシャッターを、開姿勢で電子装置筐体の内部からファン側に戻る戻風の流れ方向に対し傾斜状態に維持する維持部材と、を有する。
【発明の効果】
【００１１】
本願の開示する技術では、一部のファンの停止時に、電子装置筐体の内部から停止ファンに対応する複数のシャッターに当たる戻風にムラがあっても、停止ファンに対応するシャッターを確実に閉じることができる。
【図面の簡単な説明】
【００１２】
【図１】図１は第一実施形態の電子装置を示す斜視図である。
【図２】図２は第一実施形態のファンユニット及びシャッター装置を示す図１の矢印２方向矢視図である。
【図３】図３は第一実施形態のファンユニットを示す斜視図である。
【図４】図４は第一実施形態のシャッター装置を示す斜視図である。
【図５】図５は第一実施形態のシャッター装置をシャッターの閉姿勢で示す側面図である。
【図６】図６は第一実施形態においてファンユニットが電子装置筐体に装着される途中の状態で示す側面図である。
【図７】図７は第一実施形態においてファンユニットが電子装置筐体に装着されファンが駆動している状態を示す側面図である。
【図８】図８は第一実施形態においてファンユニットが電子装置筐体に装着され奥側ファン駆動し手前側ファンが停止している状態を示す側面図である。
【図９】図９は第二実施形態のシャッター装置をシャッターの開姿勢で示す側面図である。
【図１０】図１０は第二実施形態においてファンユニットが電子装置筐体に装着されファンが駆動している状態を示す側面図である。
【図１１】図１１は第二一実施形態においてファンユニットが電子装置筐体に装着され奥側ファン駆動し手前側ファンが停止している状態を示す側面図である。
【図１２】図１２は第二実施形態においてファンユニットの一部が電子装置筐体から抜き出された状態を示す側面図である。
【図１３】図１３は第三実施形態のシャッター装置をシャッターの開姿勢で示す側面図である。
【図１４】図１４は第四実施形態のシャッター装置をシャッターの開姿勢で示す側面図である。
【図１５】図１５は第五実施形態の電子装置を示す斜視図である。
【図１６】図１６は第五実施形態においてファンユニットが電子装置筐体に装着されファンが駆動している状態を示す側面図である。
【図１７】図１７は第五実施形態においてファンユニットが電子装置筐体に装着され奥側ファン駆動し手前側ファンが停止している状態を示す側面図である。
【発明を実施するための形態】
【００１３】
第一実施形態について、図面に基づいて詳細に説明する。
【００１４】
図１に示すように、第一実施形態の電子装置３２は、電子装置筐体３４を有する。電子装置筐体３４は、図１に示す例では、直方体の箱状の部材である。以下、電子装置筐体３４の幅方向、奥行方向及び上下方向をそれぞれ、矢印Ｗ、Ｄ、Ｕで示す。
【００１５】
電子装置３２としては、たとえば、サーバや通信装置等を挙げることができる。特に、長期間に渡って継続して（２４時間停止することなく）運転される装置を、電子装置３２として挙げることができる。
【００１６】
電子装置筐体３４の手前側の面は開放されている。電子装置筐体３４の下部はファンユニット装着部３６である。ファンユニット装着部３６には、ファンユニット４２が手前側から挿入される。
【００１７】
本実施形態では、ファンユニット装着部３６には、幅方向（矢印Ｗ方向）に並べて、複数（図１に示す例では２つ）のファンユニット４２が挿入される。
【００１８】
電子装置筐体３４において、ファンユニット４２が挿入される部位の上方は、基板ユニット収容部３８である。基板ユニット収容部３８は、電子装置筐体３４の内部の一例である。
【００１９】
基板ユニット収容部３８には、複数の基板ユニット４０が、幅方向（矢印Ｗ方向）に並べて収容される。それぞれの基板ユニット４０には、各種の電子部品、たとえばプロセッサやメモリチップ等が搭載されている。これらの電子部品は、ファンユニット４２からの風で冷却（空冷）される。
【００２０】
電子装置筐体３４の背面上部には排気口（図示省略）が形成される。ファン４６の駆動により、基板ユニット収容部３８（電子装置筐体３４の内部）に流入した空気は、排気口から排出される。
【００２１】
ファンユニット４２は、上方から（矢印Ａ１方向に）見て長方形状のユニット枠４４を有する。ユニット枠４４は、ファンユニット４２の筐体、すなわちファン筐体の一例である。
【００２２】
図２及び図３にも示すように、ユニット枠４４の内部には、奥行方向（矢印Ｄ方向）に並べて複数（図１〜図３に示す例では２つ）のファン４６が配置される。以下、２つのファン４６を、「奥側ファン４６Ａ」及び「手前側ファン４６Ｂ」と適宜区別することがある。ファン４６の駆動により、上方へ向かう風が生成される。ファンユニット４２（ファン４６）は、基板ユニット収容部３８へ吸気する側に位置する。この点で、第一実施形態のファン４６は吸気ファンであると言える。
【００２３】
本実施形態では、上記したように、ファンユニット装着部３６に２つのファンユニット４２が装着される。したがって、電子装置筐体３４には、合計で４台のファン４６が、奥行方向及び幅方向に２つずつ並べて装着される。ただし、図２では、後述する枠体５０は、幅方向に２つ並べた状態で示しているが、２つファンユニット４２のうち、幅方向の一方のファンユニット４２はファンユニット装着部３６から抜き出された状態であるため、図示されていない。
【００２４】
ファンユニット装着部３６と基板ユニット収容部３８の間、すなわち、ファン４６の風下側には、図４に示すように、シャッター装置４８が配置される。
【００２５】
シャッター装置４８は、上方から（図１の矢印Ａ１方向に）見て長方形状の枠体５０を有する。以下では、枠体５０を形成する４つの壁を、奥壁５０Ａ、手前壁５０Ｂ、右壁５０Ｃ及び左壁５０Ｄとする。本実施形態では、枠体５０は、ファンユニット４２と一対一で対応して設けられる。
【００２６】
枠体５０の右壁５０Ｃと左壁５０Ｄの間には、奥行方向の中間位置に、２枚の隔壁５２が平行に架け渡される。隔壁５２により、枠体５０の内部が、２つの開口部５４に区画される。以下、２つの開口部５４を、「奥側開口部５４Ａ」及び「手前側開口部５４Ｂ」と適宜区別することがある。
【００２７】
奥側開口部５４Ａは奥側ファン４６Ａに対応しており、奥側ファン４６Ａの駆動により生じた風は、奥側開口部５４Ａに向かう。同様に、手前側開口部５４Ｂは手前側ファン４６Ｂに対応しており、手前側ファン４６Ｂの駆動により生じた風は、手前側開口部５４Ｂに向かう。
【００２８】
奥側開口部５４Ａ及び手前側開口部５４Ｂには、ファン４６の１台ごとに複数のシャッター５６が奥行方向（矢印Ｄ方向）に並べて配置される。本実施形態では、シャッター５６のそれぞれは略長方形の板材であり、シャッター５６の長手方向が、電子装置筐体３４の幅方向（矢印Ｗ方向）と一致する。
【００２９】
シャッター５６のそれぞれは、電子装置筐体３４の幅方向の両端から突出する一対の軸５８を有する。軸５８により、シャッター５６はそれぞれ、右壁５０Ｃ及び左壁５０Ｄに対し回動可能に支持される。そして、複数のシャッター５６はいずれも、図６に示す閉姿勢ＴＰと、図７に示す開姿勢ＨＰとの間を回動する。
【００３０】
本明細書において、図７に示すように、水平面ＨＬに対するシャッター５６の角度を回動角θ１（開姿勢ＨＰに向かう方がプラス）と定義する。回動角θ１は、シャッター５６の閉姿勢ＴＰでは０度に近く、開姿勢ＨＰでは９０度に近い。ただし、本実施形態では、回動角θ１が０度以下や９０度以上になることはない。
【００３１】
図４及び図５に示すように、ファン４６の１台ごとに、複数のシャッター５６が連結部材６０で連結され、シャッター組６２が形成される。以下、２つの連結部材６０を、「奥側連結部材６０Ａ」及び「手前側連結部材６０Ｂ」と適宜区別することがある。また、奥側連結部材６０Ａで連結されたシャッター５６の組を「奥側シャッター組６２Ａ」、手前側連結部材６０Ｂで連結されたシャッター５６の組を「手前側シャッター組６２Ｂ」と適宜区別することがある。
【００３２】
連結部材６０は、電子装置筐体３４の奥行方向（矢印Ｄ方向）に延在する板状あるいは棒状の部材であり、連結ピン６４によってシャッター５６のそれぞれに対し回転可能に連結される。
【００３３】
連結部材６０で連結された複数のシャッター５６は連動して回動する。本実施形態では、連結部材６０で連結されたそれぞれのシャッター組６２において、シャッター５６のそれぞれの回動角θ１が一定となるよう、シャッター５６の向きが揃えられる。
【００３４】
図４に示すように、奥側連結部材６０Ａは、右壁５０Ｃに近い位置に配置される。手前側連結部材６０Ｂは、左壁５０Ｄに近い位置に配置される。すなわち、連結部材６０はいずれも、ファン４６からの風が流れる範囲を避けた位置にある。
【００３５】
本実施形態では、連結部材６０は所定の質量を有しており、錘部材６６を兼ねている。この「所定の質量」とは、シャッター５６に風が当たっていない状態で、連結部材６０に作用する重力により、シャッター５６を開方向（図７に示す矢印Ｈ１方向）へ回動させる回動力をシャッター５６それぞれに付与する質量である。また、後述するように、特定のシャッター組６２に対応するファン４６は停止し、その他のファン４６が駆動している状態では、停止ファン４６Ｓから上方に流れる風（順風）は生じない。しかし、他の駆動しているファン４６からの風が、基板ユニット収容部３８から下方に逆流する風（戻風）としてシャッター５６に当たる。上記「所定の質量」とは、このように一部のファン４６が停止した状態では、停止したファン４６に対応するシャッター５６が戻風から受ける閉方向（図９に示す矢印Ｔ１方向）の回動力により、閉方向に回動できる程度の質量である。
【００３６】
本実施形態では、複数のシャッター５６が連結部材６０で連結されてシャッター組６２が形成されている。連結部材６０の質量は、このシャッター組６２を全体として考えたときに、停止したファン４６に対応するシャッター組６２のシャッター５６が、戻風を受けて閉方向に回動できる程度に設定される。
【００３７】
実際には、シャッター５６のそれぞれの回転力としては、連結部材６０から受ける回転力だけでなく、シャッター５６自体に作用する重力に伴う回転力もある。連結部材６０の質量を決める場合は、シャッター５６自体の重力に伴う回転力も考慮して決めればよい。
【００３８】
なお、本実施形態では、図７から分かるように、奥側シャッター組６２Ａと手前側シャッター組６２Ｂとでは、開閉の回転の向きが逆である。
【００３９】
シャッター５６のそれぞれは、開姿勢ＨＰにあるとき、維持部材６５により、この開姿勢ＨＰに維持される。
【００４０】
維持部材６５は、上記した錘部材６６と、接触片６８とを有する構造である。本実施形態では、接触片６８は、奥側シャッター組６２Ａのシャッター５６に対応した奥側接触片６８Ａと、手前側シャッター組６２Ｂのシャッター５６に対応した手前側接触片６８Ｂを有する。
【００４１】
図５〜８に示すように、奥側接触片６８Ａは、枠体５０の奥壁５０Ａの上端に形成され、手前側接触片６８Ｂは、手前壁５０Ｂの上端に形成される。接触片６８は回動阻止部材の一例である。
【００４２】
奥側シャッター組６２Ａのシャッター５６が開方向（矢印Ｈ１方向）に回動すると、最も奥側に位置するシャッター５６が、奥側接触片６８Ａに接触する。すなわち、奥側シャッター組６２Ａのそれぞれのシャッター５６が開方向へ回動すると、この回動が、奥側接触片６８Ａにより阻止される。そして、奥側シャッター組６２Ａのそれぞれのシャッター５６は、基板ユニット収容部３８からの戻風の流れ方向（一点鎖線Ｆ１）に対し傾斜した姿勢（開姿勢ＨＰ）に維持される。
【００４３】
同様に、手前側シャッター組６２Ｂのシャッター５６が開方向（矢印Ｈ１方向）に回動すると、最も手前側に位置するシャッター５６が、手前側接触片６８Ｂに接触する。すなわち、手前側シャッター組６２Ｂのそれぞれのシャッター５６が回動すると、この回動が、手前側接触片６８Ｂにより阻止される。そして、手前側シャッター組６２Ｂのそれぞれのシャッター５６は、基板ユニット収容部３８からの戻風の流れ方向（一点鎖線Ｆ１）に対し傾斜した姿勢（開姿勢ＨＰ）に維持される。
【００４４】
これに対し、図５に示すように、シャッター５６が閉姿勢ＴＰになった状態では、シャッター５６どうしが隣のシャッター５６と接触し、閉方向への回動が阻止される。
【００４５】
図４及び図５に示すように、枠体５０の奥壁５０Ａ及び左壁５０Ｄには、台板７０Ａ、７０Ｂが設けられる。これらの台板上には、ストッパバネ７０が固定される。具体的には、台板７０Ａ上には奥側ストッパバネ７２Ａが固定される。台板７０Ｂ上には手前側ストッパバネ７２Ｂが固定される。
【００４６】
奥側ストッパバネ７２Ａは、奥側連結部材６０Ａに対し閉方向（上方）へのバネ力を作用させる。奥側連結部材６０Ａが閉方向へ移動すると、奥側連結部材６０Ａで連結されたシャッター５６は、閉方向へ回動される。
【００４７】
同様に、手前側ストッパバネ７２Ｂは、手前側連結部材６０Ｂに対し閉方向（上方）へのバネ力を作用させる。手前側連結部材６０Ｂが閉方向へ移動すると、手前側連結部材６０Ｂで連結されたシャッター５６や、閉方向へ回動される。
【００４８】
奥側ストッパバネ７２Ａ及び手前側ストッパバネ７２Ｂにおける手前側には、奥側へ向かって上方に傾斜するテーパー面７４が形成される。
【００４９】
図３に示すように、ファンユニット４２には、２つの突起部７６が設けられる。突起部７６はそれぞれ、ファンユニット４２がファンユニット装着部３６に挿入される途中で、テーパー面７４にそれぞれ接触する。そして、ファンユニット４２がファンユニット装着部３６に装着されると、突起部７６が奥側ストッパバネ７２Ａ及び手前側ストッパバネ７２Ｂを上方から押し付け、図７に示すように、奥側連結部材６０Ａ及び手前側連結部材６０Ｂから離間させる。これにより、奥側ストッパバネ７２Ａ及び手前側ストッパバネ７２Ｂのバネ力が、対応する奥側連結部材６０Ａ及び手前側連結部材６０Ｂに作用しなくなる。
【００５０】
ファンユニット４２がファンユニット装着部３６に装着された状態で、奥側ストッパバネ７２Ａ、手前側ストッパバネ７２Ｂ、２つの突起部７６はいずれも、ファン４６から流れる風（流路）を避けた位置にある。具体的には、ファン４６から風を排出する部分は平面視（矢印Ａ１方向視）で円形であるのに対し、奥側ストッパバネ７２Ａ、手前側ストッパバネ７２Ｂ、２つの突起部７６は、正方形状である開口部５４の頂点近傍にある。また、奥側ストッパバネ７２Ａ、手前側ストッパバネ７２Ｂ、２つの突起部７６は、平面視で、ファン４６を挟んで対角の位置にある。
【００５１】
次に、本実施形態の作用を説明する。
【００５２】
図７に示すように、ファンユニット４２のすべて（本実施形態の例では２つ）がファンユニット装着部３６に装着された状態で、ファン４６（本実施形態の例では４つ）の駆動により、基板ユニット収容部３８に向かう風（順風）が生成される。
【００５３】
ファン４６の１台ごとに、複数のシャッター５６は連結部材６０で連結されているので、一体的に連動して回動する。
【００５４】
連結部材６０は所定の質量を有しており、シャッター５６に風が当たっていない状態で、連結部材６０に作用する重力によりシャッター５６を開方向（矢印Ｈ１方向）へ回動させる回動力を付与する。したがって、ファン４６の駆動時には、シャッター５６に下方からの風（順風）が当たるので、シャッター５６は開方向への回動力を受け、確実に開口部５４を開放する。
【００５５】
このように、錘部材６６によって、シャッター５６に対する開方向（矢印Ｈ１方向）の回動力が付与される。本実施形態では、連結部材６０は錘部材６６を兼ねているので、連結部材６０に作用する重力を効果的に利用し、複数のシャッター５６に対し開方向の回動力を付与できる。
【００５６】
錘部材６６は、連結部材６０と別体であってもよく、たとえば、１つあるいは複数のシャッター５６に錘部材が取り付けられていてもよい。本実施形態のように、連結部材６０が錘部材６６を兼ねる構造では、錘部材をあらたに設けないので、部品点数の増加を招かない。
【００５７】
奥側シャッター組６２Ａでは、シャッター５６が開姿勢ＨＰにあるとき、最も奥側に位置するシャッター５６が、奥側接触片６８Ａに接触する。同様に、手前側シャッター組６２Ｂでは、シャッター５６が開姿勢ＨＰにあるとき、最も手前側に位置するシャッター５６が、手前側接触片６８Ｂに接触する。このように、シャッター５６の一部が奥側接触片６８Ａまたは手前側接触片６８Ｂに接触することで、それぞれのシャッター５６は、基板ユニット収容部３８からの戻風の流れ方向（一点鎖線Ｆ１）に対し傾斜した状態に維持される。
【００５８】
ファン４６からの風は、開口部５４を通過し、電子装置筐体３４の内部に至る。そしてこの風は、基板ユニット収容部３８内の電子部品を冷却（空冷）する。電子装置筐体３４の内部を流れる風の一部は、開口部５４に向かって戻風として戻ることがあるが、多くは、電子装置筐体３４の背面上部の排気口（図示省略）から、電子装置筐体３４の外部に排出される。
【００５９】
図７に示すように、シャッター５６は開姿勢ＨＰにあるとき、戻風の向き（一点鎖線Ｆ１）に対し傾斜しているが、開口部５４を開放している。このため、ファン４６からの風（順風）がシャッター５６に当たることによる圧力損失を低減しつつ、電子装置筐体３４の内部に確実に風を送ることができる。
【００６０】
ここで、複数のファン４６の一部が停止した場合を想定する。たとえば、図８では、手前側ファン４６Ｂが停止した状態を示している。以下、停止したファンを特に停止ファン４６Ｓとする。このように一部のファンが停止した状態でも、電子装置３２は運転状態を維持するため、残りの駆動しているファン４６により、電子部品に対する冷却を継続する。
【００６１】
停止ファン４６Ｓは風を生成しないため、停止ファン４６Ｓに対応するシャッター組（図８に示す例では手前側シャッター組６２Ｂ）のシャッター５６には、停止ファン４６Ｓから直接的な風（順風）は当たらない。したがって、順風が当たることによる、シャッター５６への開方向への回動力も付与されない。しかし、シャッター組６２のシャッター５６に、電子装置筐体３４からの戻風は当たる。シャッター５６のそれぞれは、戻風の方向（一点鎖線Ｆ１）に対し傾斜しているので、戻風が当たることで、閉方向（矢印Ｔ１方向）の回動力を受ける。
【００６２】
連結部材６０は、停止ファン４６Ｓに対応するシャッター組６２では、戻風から受ける閉方向（矢印Ｔ１方向）の回動力により、シャッター５６が閉方向に回動できる程度の質量を有している。したがって、停止ファン４６Ｓに対応するシャッター組６２では、戻風が当たったシャッター５６は閉方向に回動する。
【００６３】
それぞれのシャッター組６２では、連結部材６０により、複数のシャッター５６が連動して回動する。したがって、シャッター組６２において、シャッター５６に当たる戻風にムラが生じていても、シャッター組６２のすべてのシャッター５６が、連動して閉方向に回動する。そして、停止ファン４６に対応するシャッター組６２のシャッター５６が戻風により、閉姿勢に至る。
【００６４】
このように、電子装置筐体３４の内部からの戻風にムラがあっても、停止ファン４６Ｓに対応するシャッター５６を確実に閉じることができる。そして、停止ファン４６Ｓに対応する開口部５４から、電子装置筐体３４の風が流出することを抑制できる。電子装置筐体３４では、駆動しているファン４６（上記の例では３台のファン４６）からの風により、電子部品に対する冷却状態を維持できる。たとえば、ファン４６の一部が停止した場合でも、電子装置筐体３４からの風の流出を補うためにファン４６の能力や数を過度に冗長化しなくてもよい。
【００６５】
シャッター５６は、閉姿勢では、隣のシャッター５６に接触するので、閉姿勢からさらに回動せず、閉姿勢を維持できる。
【００６６】
連結部材６０は、ファン４６からの風（順風）が流れる位置を避けて配置される。したがって、ファン４６から電子装置筐体３４の内部に流れる風が連結部材６０に当たって弱められる事態を抑制できる。
【００６７】
上記では、特定のファン４６が停止した場合について説明したが、次に、たとえばファン４６の交換や点検等のために、ファンユニット４２をファンユニット装着部３６から抜き出す場合を考える。
【００６８】
複数のファンユニット４２の一部をファンユニット装着部３６から抜き出すと、ファンユニット４２に搭載された複数のファン４６、本実施形態では１つのファンユニットあたり２台のファン４６も抜き出される。このように複数のファン４６を抜き出した状態でも、電子装置３２は運転状態を維持するため、電子装置筐体３４に残っているファンユニット４２のファン４６により、電子部品の冷却を継続する。
【００６９】
図６に示すように、一部のファンユニット４２をファンユニット装着部３６から抜き出すと、突起部７６が、奥側ストッパバネ７２Ａ及び手前側ストッパバネ７２Ｂから離間する。これにより、奥側ストッパバネ７２Ａ及び手前側ストッパバネ７２Ｂそれぞれ、奥側連結部材６０Ａ及び手前側連結部材６０Ｂにバネ力を作用させ、奥側連結部材６０Ａ及び手前側連結部材６０Ｂを閉方向（矢印Ｔ１方向）へ押圧する。そして、奥側シャッター組６２Ａのシャッター５６が連動して閉方向へ回動し、閉姿勢ＴＰをとる。同様に、手前側シャッター組６２Ｂのシャッター５６は連動して閉方向（矢印Ｔ１方向）へ回動し、閉姿勢ＴＰをとる。
【００７０】
このように、ファンユニット４２（複数のファン４６）をファンユニット装着部３６から抜き出した状態で、抜き出した複数のファン４６に対応するシャッター組６２のシャッター５６を閉姿勢ＴＰに維持できる。複数のファン４６が搭載されたファンユニット４２を抜き出すと、実質的に複数のファン４６が停止した状態と同様の状態になるため、１台のファン４６が停止した状態よりも、残ったファン４６で電子装置の冷却能力を維持する負担は大きい。
【００７１】
このような場合でも、本実施形態では、抜き出された複数のファン４６に対応するシャッター組６２のシャッター５６が閉姿勢ＴＰに回動する。抜き出されたファン４６に対応する開口部５４から、電子装置筐体３４の風が流出することを抑制できる。このため、電子装置筐体３４では、電子装置筐体３４内で駆動しているファン４６（上記の例では２台）からの風（順風）により、電子部品に対する冷却能力を維持できる。すなわち、ファンユニット４２を抜き出した場合の冷却能力を確保するために、ファン４６の能力（風圧）や数を過度に冗長化しなくてもよい。
【００７２】
ファンユニット装着部３６からファンユニット４２を抜き出した状態では、ストッパバネ７２の弾性力により、シャッター組６２のシャッター５６が閉方向に付勢される。この状態で、シャッター５６どうしが隣のシャッター５６に接触するので、閉姿勢ＴＰに維持される。すなわち、シャッター５６のそれぞれが閉姿勢ＴＰで固定される。したがって、ファンユニット４２を抜き出した状態の電子装置筐体３４に、輸送等によって振動や衝撃が作用しても、シャッター５６や連結部材６０が不用意に回動することを抑制でき、シャッター５６や連結部材６０の損傷を抑制できる。
【００７３】
奥側ストッパバネ７２Ａ及び手前側ストッパバネ７２Ｂは、バネ部材の一例であり、本実施形態では電子装置筐体３４に設けられる。このように、バネ部材を設ける簡単な構造で、抜き出された複数のファン４６に対応するシャッター組６２のシャッター５６を閉姿勢ＴＰに維持できる。
【００７４】
バネ部材としては、上記した奥側ストッパバネ７２Ａ及び手前側ストッパバネ７２Ｂに限定されず、たとえば、コイルバネであってもよい。バネ部材として板バネを用いると、バネ部材の構造を簡素化できる。
【００７５】
ストッパバネ７２はテーパー面７４を有する。ファンユニット４２がファンユニット装着部３６に挿入される途中で、突起部７６がテーパー面７４に当たって、ストッパバネ７２を上方から押し付け、奥側連結部材６０Ａ及び手前側連結部材６０Ｂから離間させる。このように、ファンユニット４２をファンユニット装着部３６に挿入する動作により、奥側ストッパバネ７２Ａ及び手前側ストッパバネ７２Ｂのバネ力が連結部材６０に作用しない状態を容易に実現できる。
【００７６】
そして、ファンユニット４２をファンユニット装着部３６に装着した状態では、奥側ストッパバネ７２Ａ及び手前側ストッパバネ７２Ｂが、対応する奥側連結部材６０Ａ及び手前側連結部材６０Ｂから離間し、バネ力が作用しなくなる。
【００７７】
突起部７６は離間部材の一例であり、ユニット枠４４（ファン筐体）に設けられる。離間部材を設けるためのあらたな部材が不要であり、部品点数が増加しない。
【００７８】
ファンユニット４２がファンユニット装着部３６に装着された状態で、奥側ストッパバネ７２Ａ及び手前側ストッパバネ７２Ｂは、ファン４６からのファン４６からの風（順風）が流れる位置を避けた位置にある。同様に、突起部７６も、ファン４６からのファン４６からの風（順風）が流れる位置を避けた位置にある。したがって、ファン４６から電子装置筐体３４の内部に流れる風が、奥側ストッパバネ７２Ａ、手前側ストッパバネ７２Ｂ及び突起部７６に当たって事態を抑制できる。
【００７９】
次に、第二実施形態について説明する。第二実施形態において、第一実施形態と同様の要素、部材等については同一符号を付し、詳細な説明を省略する。
【００８０】
図９に示すように、第二実施形態のシャッター装置７８では、奥側ストッパバネ７２Ａ、手前側ストッパバネ７２Ｂ及び突起部７６（図４及び図５参照）を有さない構造である。すなわち、第二実施形態では、奥側ストッパバネ７２Ａ、手前側ストッパバネ７２Ｂ及び突起部７６がないので、シャッター装置７８の構造の簡素化及び軽量化を図ることができる。
【００８１】
第二実施形態のシャッター装置７８においても、ファン４６のすべてが駆動されていると、図１０に示すように、シャッター５６が開姿勢ＨＰにある。ファン４６からの風が開口部５４を通過し、電子装置筐体３４の内部の電子部品を冷却（空冷）する。
【００８２】
第二実施形態のシャッター装置７８において、開姿勢ＨＰにあるシャッター５６は、戻風の向き（一点鎖線Ｆ１）に対し傾斜している。したがって、ファン４６の一部が停止した場合は、停止ファン４６Ｓに対応するシャッター組６２（図１１に示す例では手前側シャッター組６２Ｂ）のシャッター５６が戻風を受ける。シャッター組６２のシャッター５６は連結部材６０で連結されているので、シャッター５６に当たる戻風にムラが生じていても、シャッター組６２のすべてのシャッター５６が連動して閉方向に回動し、閉姿勢に至る。
【００８３】
第二実施形態において、ファンユニット４２をファンユニット装着部３６から抜き出した場合は、ファンユニット装着部３６に残っているファンユニット４２のファン４６から風が電子装置筐体３４の内部に送られる。電子装置筐体３４の内部からの戻風が、ファンユニット４２を抜き出した部位に対応するシャッター５６に当たると、図１２に示すように、このシャッター組６２のシャッター５６が戻風を受けて閉方向に回動するように、連結部材６０の質量が設定される。
【００８４】
したがって、第二実施形態では、ファンユニット４２をファンユニット装着部３６から抜き出した状態で、ファンユニット４２を抜き出した部位に対応するシャッター５６に当たった戻風により、シャッター５６を閉方向に回動させることができる。
【００８５】
次に、第三実施形態について説明する。第三実施形態において、第一実施形態又は第二字絵と同様の要素、部材等については同一符号を付して、詳細な説明を省略する。
【００８６】
図１３に示すように、第三実施形態のシャッター装置８８では、連結部材６０と隔壁５２とに、開方向バネ９０が取り付けられる。開方向バネ９０は、連結部材６０を介して、シャッター組６２に対し開方向の回動力（弾性力）を作用させる。
【００８７】
したがって、第三実施形態では、錘部材が不要である。連結部材６０が錘部材を兼ねないので、連結部材６０の形状や配置の自由度が高い。また、開方向バネ９０を変更して弾性力を変えることで、シャッター組６２に作用させる開方向の回動力を調整することも容易である。
【００８８】
なお、図１３では、開方向バネ９０を設けた例として、第二実施形態と同様に、奥側ストッパバネ７２Ａ、手前側ストッパバネ７２Ｂ及び突起部７６（図４及び図５参照）を有さない構造を例示している。これに代えて、第一実施形態と同様に、奥側ストッパバネ７２Ａ、手前側ストッパバネ７２Ｂ及び突起部７６を有する構造を採っても良い。
【００８９】
第三実施形態において、開方向バネ９０は、連結部材６０ではなく、シャッター５６にバネ力を作用させる構造でもよい。また、開方向バネ９０は、枠体５０において、隔壁５２以外の部位に取り付けられていてもよい。
【００９０】
次に、第四実施形態について説明する。第三実施形態において、第一実施形態又は第二字絵と同様の要素、部材等については同一符号を付して、詳細な説明を省略する。
【００９１】
第四実施形態のシャッター装置９８では、ファンユニット４２が縦向きに配置される。そして、ファンユニット４２に搭載される複数のファン４６が上下方向に並ぶ。
【００９２】
第四実施形態では、複数のファン４６が上下方向に並ぶことに対応して、シャッター組６２も上下に並べて配置される。そして、シャッター組６２のシャッター５６を連結する連結部材６０が錘部材６６を兼ねている。連結部材６０（錘部材６６）に作用した重力により、シャッター５６に開方向の回動力を作用させる。
【００９３】
シャッター５６のそれぞれは、電子装置筐体３４からの戻風の向きに対し傾斜している。そして、一部のファン４６の停止時には、停止ファン４６Ｓに対応するシャッター組６２のシャッター５６に戻風があたり、シャッター５６を連動させて閉方向に回動させることができる。すなわち、戻風にムラがあっても、停止ファン４６Ｓに対応するシャッター組６２のシャッター５６を確実に閉じることができる。
【００９４】
なお、図１４では、ファンユニット４２を縦方向に配置した例として、第二実施形態と同様に、ストッパバネ７２及び突起部７６（図４及び図５参照）を有さない構造を例示している。これに代えて、第一実施形態と同様に、ストッパバネ７２及び突起部７６を有する構造を採っても良い。さらに、第三実施形態と同様に、開方向バネ９０を設けた構造としてもよい。
【００９５】
次に、第五実施形態について説明する。第五実施形態において、第一実施形態〜第四実施形態と同様の要素、部材等については同一符号を付して、詳細な説明を省略する。
図１５に示すように、第五実施形態の電子装置１０２では、電子装置筐体３４の上部がファンユニット装着部３６である。換言すれば、第五実施形態では、基板ユニット収容部３８の上方にファンユニット１０４が装着される。
【００９６】
第五実施形態では、ファンユニット１０４による風は上方向に流れる。すなわち、ファンユニット１０４（ファン４６）は、基板ユニット収容部３８から排気される側に位置する。この点で、第五実施形態のファン４６は排気ファンであると言える。
【００９７】
第五実施形態のファンユニット１０４は、ファン４６の風上側にシャッター装置７８が配置される。
【００９８】
第五実施形態においても、ファン４６のすべてが駆動されていると、シャッター５６が開姿勢ＨＰにある（図１６に示す状態）。ファン４６からの風が開口部５４を通過し、電子装置筐体３４の内部の電子部品を冷却（空冷）する。
【００９９】
第五実施形態では、シャッター５６が閉位置ＴＰにあるとき、戻風は、閉位置ＨＰにあるシャッター５６に対応するファン４６の位置から回り込むように下方に生じる。したがって、ファン４６の一部が停止した場合は、停止ファン４６Ｓに対応するシャッター組６２（図１７に示す例では手前側シャッター組６２Ｂ）のシャッター５６が戻風を受ける。シャッター組６２のシャッター５６は連結部材６０で連結されているので、シャッター５６に当たる戻風にムラが生じていても、シャッター組６２のすべてのシャッター５６が連動して閉方向に回動し、閉姿勢ＴＰに至る。
【０１００】
第五実施形態は、ファンユニット１０４が、基板ユニット収容部３８からの排気側に配置される構造の例であり、別の観点では、シャッター装置７８がファン４６の風上側に配置される構造の例でもある。
【０１０１】
このように、シャッター装置７８がファン４６の風上側に配置される構造の適用例は、ファンユニット１０４が、基板ユニット収容部３８からの排気側に配置される構造（ファン４６が排気ファンである構造）に限定されない。たとえば、第一実施形態や第二実施形態のように、ファンユニットが、基板ユニット収容部３８への吸気側に配置された構造（ファン４６が吸気ファンである構造）において、シャッター装置７８がファン４６の風上側に配置されてもよい。
【０１０２】
図１６及び図１７に示す例では、奥側ストッパバネ７２Ａ及び手前側ストッパバネ７２Ｂ（たとえば図４、図５等参照）の図示を省略している。第五実施形態において、第一実施形態のように、奥側ストッパバネ７２Ａ及び手前側ストッパバネ７２Ｂを設けてもよいし、第二実施形態のように、奥側ストッパバネ７２Ａ及び手前側ストッパバネ７２Ｂがない構造としてもよい。
【０１０３】
以上、本願の開示する技術の実施形態について説明したが、本願の開示する技術は、上記に限定されるものでなく、上記以外にも、その主旨を逸脱しない範囲内において種々変形して実施可能であることは勿論である。
【０１０４】
本明細書は、以上の実施形態に関し、さらに以下の付記を開示する。
（付記１）
電子装置筐体の内部へ風を送る複数のファンのそれぞれの風下側又は風上側に、前記ファンごとに複数並べて配設されて開姿勢と閉姿勢との間を回動するシャッターと、
前記ファンごとに複数の前記シャッターどうしを連結し連動して回動可能とする連結部材と、
複数の前記シャッターを、前記開姿勢で前記電子装置筐体の内部から前記ファン側に戻る戻風の流れ方向に対し傾斜状態に維持する維持部材と、
を有するシャッター装置。
（付記２）
前記維持部材が、複数の前記シャッターの開方向への回動を阻止して前記傾斜状態を維持する回動阻止部材を有する付記１に記載のシャッター装置。
（付記３）
前記維持部材が、前記連結部材又は前記シャッターに設けられ重力により複数の前記シャッターに開方向への回動力を付与する錘部材を有する付記２に記載のシャッター装置。
（付記４）
前記連結部材が前記錘部材を兼ねる付記３に記載のシャッター装置。
（付記５）
前記維持部材が、前記連結部材又は前記シャッターに対し弾性力を作用させて開方向への回動力を付与する弾性部材を有する付記２に記載のシャッター装置。
（付記６）
前記開方向への前記回動力が、前記ファンの一部が停止した状態で停止中の前記ファンに対応する複数の前記シャッターに対し前記戻風により生じる前記シャッターの閉方向の回転力より小さい付記３〜付記５のいずれか１つに記載のシャッター装置。
（付記７）
前記開方向への前記回動力が、前記シャッターに風が当たらない状態で前記シャッターを前記開方向へ回動させる大きさである付記３〜付記６のいずれか１つに記載のシャッター装置。
（付記８）
複数の前記シャッターが、前記閉姿勢では隣の前記シャッターに接触して閉方向への回動が阻止される付記１〜付記７のいずれか１つに記載のシャッター装置。
（付記９）
前記連結部材が、前記ファンからの風の流路を避けた位置に設けられる付記１〜付記８のいずれか１つに記載のシャッター装置。
（付記１０）
前記シャッター又は前記連結部材を押圧し前記シャッターを閉方向へ回動させるバネ部材と、
前記電子装置筐体に前記ファンが装着されると、前記ファンに対応する前記シャッター又は前記連結部材から前記バネ部材を離間させる離間部材と、
を有する付記１〜付記９のいずれか１つに記載のシャッター装置。
（付記１１）
前記バネ部材が前記電子装置筐体に設けられる付記１０に記載のシャッター装置。
（付記１２）
前記バネ部材が板バネである付記１１に記載のシャッター装置。
（付記１３）
前記ファンが取り付けられ前記電子装置筐体に装着されるファン筐体に、前記離間部材が設けられる付記１０〜付記１２のいずれか１つに記載のシャッター装置。
（付記１４）
前記バネ部材及び前記離間部材が、前記ファンからの風の流路を避けた位置に設けられる付記１３に記載のシャッター装置。
（付記１５）
前記バネ部材が、前記電子装置筐体に前記ファン筐体が挿入されると前記離間部材に押されて前記バネ部材を前記前記シャッター又は前記連結部材から離間する方向へ撓ませるテーパー面を有する付記１３又は付記１４に記載のシャッター装置。
（付記１６）
内部に電子部品が搭載される電子装置筐体と、
前記電子装置筐体の内部に風を送る複数のファンと、
複数の前記ファンのそれぞれの風下側又は風上側に、前記ファンごとに複数並べて配設されて開姿勢と閉姿勢との間を回動するシャッターと、
前記ファンごとに複数の前記シャッターどうしを連結し、連動して回動可能とする連結部材と、
複数の前記シャッターを、前記開姿勢で前記電子装置筐体の内部から前記ファン側に戻る戻風の流れ方向に対し傾斜状態に維持する維持部材と、
を有する電子装置。
【符号の説明】
【０１０５】
３２  電子装置
３４  電子装置筐体
４２  ファンユニット
４６  ファン
４８  シャッター装置
５６  シャッター
６０  連結部材
６６  錘部材
６８  接触片（回動阻止部材の一例）
７２  ストッパバネ（バネ部材の一例）
７４  テーパー面
７６  突起部(離間部材の一例）
７８  シャッター装置
８８  シャッター装置
９０  開方向バネ
９８  シャッター装置
【図１】
0006589457.tif 000002
【図２】
0006589457.tif 000003
【図３】
0006589457.tif 000004
【図４】
0006589457.tif 000005
【図５】
0006589457.tif 000006
【図６】
0006589457.tif 000007
【図７】
0006589457.tif 000008
【図８】
0006589457.tif 000009
【図９】
0006589457.tif 000010
【図１０】
0006589457.tif 000011
【図１１】
0006589457.tif 000012
【図１２】
0006589457.tif 000013
【図１３】
0006589457.tif 000014
【図１４】
0006589457.tif 000015
【図１５】
0006589457.tif 000016
【図１６】
0006589457.tif 000017
【図１７】
0006589457.tif 000018